(57)【特許請求の範囲】
【請求項１】
第１光源と、
前記第１光源に対して副走査方向にずれて配置された第２光源と、
各光源に対応して設けられ、光源から射出される光束を略平行光に偏向する一対の第１光学素子と、
各光源に対応して設けられ、第１光学素子を通過した光束を副走査方向に集光する一対の第２光学素子と、
各第２光学素子を通過した光束を偏向走査する偏向手段と、
前記第１、第２光源、および第１、第２の光学素子を保持する光学素子保持部材と、
前記光学素子保持部材および前記偏向手段を保持し、開放面を有する光学ハウジングと、
前記光学ハウジングの開放面を覆うカバー部材とを備えた光走査装置であって、
前記光学素子保持部材は、第１光源と第２光源とが取り付けられる光源取り付け部と、
前記副走査方向に対して垂直な板状の形状であって、前記光学素子保持部材を前記光学ハウジングに締結するための締結部材が挿入される複数の挿入穴を有し、前記一対の第１光学素子が取り付けられる第１光学素子取り付け部と、
第２光学素子が取り付けられ、前記光学ハウジングの開放面に対して垂直な板状の第２光学素子取り付け部とを備え、
前記光学素子保持部材を、前記光学ハウジングの所定の位置に位置決めしたとき、前記挿入穴の周辺部と光学ハウジングとの間に隙間を形成する隙間形成手段を前記光学素子保持部材または前記光学ハウジングに設け、
前記光学素子保持部材を複数の締結部材により前記光学ハウジングに締結したことを特徴とする光走査装置。
【請求項２】
請求項１の光走査装置において、
前記隙間形成手段は、前記光源取り付け部または前記光学ハウジングの前記光源取り付け部と対向する箇所に設けられ副走査方向に突出する第１突出部と、
前記第１光学素子取り付け部の主走査方向の一端部または前記光学ハウジングの前記第１光学素子取り付け部の主走査方向の一端部と対向する箇所に設けられ副走査方向に突出する第２突出部と、
前記第１光学素子取り付け部の主走査方向の他端部または前記光学ハウジングの前記第１光学素子取り付け部の主走査方向の他端部と対向する箇所に設けられ副走査方向に突出する第３突出部とを備えたことを特徴とする光走査装置。
【請求項３】
請求項２の光走査装置において、
前記光学素子保持部材を、副走査方向から見たとき、
第１突出部と第２突出部と第３突出部とを結んだ領域内に前記挿入穴を設けたことを特徴とする光走査装置。
【請求項４】
請求項１乃至３いずれかの光走査装置において、
前記第１光学素子取り付け部の前記挿入穴の周辺または前記光学ハウジングの前記挿入穴の周辺と対向する領域に、前記第１光学素子取り付け部の副走査方向の撓み変形を規制する変形規制部を設けたことを特徴とする光走査装置。
【請求項５】
請求項４の光走査装置において、
前記隙間形成手段は、前記光源取り付け部または前記光学ハウジングの前記光源取り付け部と対向する箇所に設けられ副走査方向に突出する第１突出部と、
前記第１光学素子取り付け部の主走査方向の一端部または前記光学ハウジングの前記第１光学素子取り付け部の主走査方向の一端部と対向する箇所に設けられ副走査方向に突出する第２突出部と、
前記第１光学素子取り付け部の主走査方向の他端部または前記光学ハウジングの前記第１光学素子取り付け部の主走査方向の他端部と対向する箇所に設けられ副走査方向に突出する第３突出部とを備えたものであり、
前記変形規制部の副走査方向の突出量を、各突出部の副走査方向の突出量よりも少なくしたことを特徴とする光走査装置。
【請求項６】
請求項１乃至５いずれかの光走査装置において、
前記光学素子保持部材は、樹脂製であって、
前記第１光学素子取り付け部の前記光源取り付け部との接続部から前記第１光学素子が取り付けられる箇所までの領域を他の領域よりも肉厚にしたことを特徴とする光走査装置。
【請求項７】
請求項１乃至６いずれかの光走査装置において、
前記光学素子保持部材は、樹脂製であって、
前記第１光学素子取り付け部の前記挿入穴の周辺の肉厚を他の部分よりも薄くしたことを特徴とする光走査装置。
【請求項８】
請求項１乃至７いずれかの光走査装置において、
前記光学素子保持部材は、樹脂製であって、
前記第１光学素子取り付け部の前記挿入穴の周辺にスリットを設けたことを特徴とする光走査装置。
【請求項９】
請求項１乃至８いずれかの光走査装置において、
前記締結部材は、ネジであって、
前記第１光学素子取り付け部から突出して、前記ネジの座面と当接する座面当接突起を設けたことを特徴とする光走査装置。
【請求項１０】
請求項１乃至９いずれかの光走査装置において、
各光源からから出射された光束が偏向手段の同一の位置に入射するよう各光源が前記光源取り付け部に取り付けられることを特徴とする光走査装置。
【請求項１１】
潜像を担持する複数の潜像担持体と、光走査によって各潜像担持体の表面に潜像を形成する光走査手段と、各潜像担持体に対応して設けられ担持された潜像を現像する複数の現像手段とを備える画像形成装置において、
上記光走査手段として、請求項１乃至１０いずれかの光走査装置を用いたことを特徴とする画像形成装置。
【請求項１２】
第１光源と、前記第１光源に対して副走査方向にずれて配置される第２光源と、各光源に対応して設けられ、光源から射出される光束を略平行光に偏向する一対の第１光学素子と、各光源に対応して設けられ、第１光学素子を通過した光束を副走査方向に集光する一対の第２光学素子とを、各第２光学素子を通過した光束を偏向走査する偏向手段が保持された光走査装置の光学ハウジングに組み付ける光学素子組付け方法において、
第１光源と第２光源とが取り付けられる光源取り付け部と、
前記副走査方向に対して垂直な板状の形状であって、前記光学ハウジングに締結するための締結部材が挿入される複数の挿入穴を有し、前記一対の第１光学素子が取り付けられる第１光学素子取り付け部と、前記光学ハウジングの開放面に対して垂直な板状の形状であって、第２光学素子が取り付けられる第２光学素子取り付け部とを備えた光学素子保持部材に、前記第１光源、前記第２光源および前記一対の第１光学素子を前記光学素子保持部材に取り付ける工程と、
前記第１光学素子取り付け部に設けられた締結部材が挿入される複数の挿入穴周辺部と光学ハウジングとの間に所定の隙間が形成されるよう光学素子保持部材を光学ハウジングに位置決めする工程と、
前記複数の挿入穴にそれぞれ締結部材を挿入して、前記保持部材を、前記締結部材により前記光学ハウジングに締結する工程と、
前記各光源から出射された光束が前記偏向手段の規定の位置に照射されるように、一対の第２光学素子の前記光学素子保持部材に対する取り付け姿勢を調整する工程と、
前記光学素子保持部材に対する取り付け姿勢を維持した状態で、各第２光学素子を前記光学素子保持部材の第２光学素子取り付け部に取り付ける工程とを有することを特徴とする光学素子組付け方法。
【発明の詳細な説明】
【技術分野】
【０００１】
本発明は、光走査装置、画像形成装置および光学素子の組付け方法に関するものである。
【背景技術】
【０００２】
複写機、プリンタ、ファクシミリ等の画像形成装置の中には、複数の潜像担持体上に画像情報に応じた書込光をそれぞれ偏向走査することにより照射して各潜像担持体上に潜像を形成し、この潜像を現像して画像を得るものが知られている。書込光を偏向走査する光走査装置は、第１光源と、第１光源に対して副走査方向にずれて配置された第２光源と、第１光源から出射する第１書込光及び第２光源から出射する第２書込光をそれぞれ偏向する回転偏向器とを備えている。また、これら光源と回転偏向器との間には、各光源から出射した書込光を略平行光に偏向する一対の第１光学素子としてのコリメートレンズと、第１光学素子を通過した各書込光を副走査方向に集光する一対の第２光学素子としてのシリンドリカルレンズとが設けられている。各光源から照射された光が、光学ハウジングに取り付けられたコリメートレンズ・シリンドリカルレンズなどによって所定の形状に成形されて回転偏向器に入射する。回転偏向器に入射した光は、偏向走査され、走査レンズ、反射ミラー等の光学系部品などを通って、各潜像担持体に照射される。一般的に、コリメートレンズやシリンドリカルレンズは、ハウジングに直接接着固定されている。
【０００３】
レーザーダイオードなどの光源には、寿命があり定期的な交換が必要である。しかしながら、光源を交換すると、光源とコリメートレンズやシリンドリカルレンズとの位置関係が崩れ、光走査の特性が劣化してしまう。
【０００４】
特許文献１には、第１光源、第２光源、一対のコリメートレンズ、一対のシリンドリカルレンズが、板状の光学素子保持部材に保持され、この光学素子保持部材を、光学ハウジングに取り付けた光走査装置が記載されている。これにより、光源に寿命が来た場合、光学素子保持部材を光学ハウジングから取り外し、予め第１、第２光源、一対のコリメートレンズ、一対のシリンドリカルレンズの位置関係が調整された新規の光学素子保持部材を光学ハウジングに取り付けることで、光源交換後も、所定の光走査の特性を維持することができる。
【発明の概要】
【発明が解決しようとする課題】
【０００５】
特許文献１に記載の光走査装置は、光学素子保持部材を板バネにより光学ハウジングへ押圧して、板バネと光学ハウジングとで光学素子保持部材を挟持することにより、光学素子保持部材を光学ハウジングに取り付けている。このため、例えば、回転偏向器の回転により生じる振動により光学素子保持部材が大きく振動して各潜像担持体へ照射される走査線が劣化してしまうという不具合がある。
【０００６】
そこで、光学素子保持部材を光学ハウジングから容易に着脱可能で、光学素子保持部材を光学ハウジングに強固に固定する方法として、光学素子保持部材を光学ハウジングに対して締結部材としての複数のネジで締結することが考えられる。複数のネジで締結する理由は、一個のネジで光学素子保持部材を光学ハウジングに固定した場合、光学素子保持部材は、光学ハウジングに対してネジの締結方向回りに位置決めできないからである。
【０００７】
しかしながら、光学素子保持部材を光学ハウジングにネジで固定した場合、次のような課題が発生する。すなわち、光源から照射される光束が、規定の光路に対して、副走査方向や主走査方向に傾いたり、ずれたりしてしまい、偏向手段の所定の位置に光を照射することができないという課題である。光源から照射される光束が、規定の光路に対して副走査方向や主走査方向に傾いたり、ずれたりする理由は、ネジの締結力により光学素子保持部材が変形したり、各ネジの締結力の差により光学素子保持部材が光学ハウジングに対して傾いて取り付けられてしまったりするからである。
【０００８】
本発明は以上の問題点に鑑みなされたものであり、その目的は、光学ハウジングに対して容易に光学素子保持部材を着脱することができ、光学素子保持部材の振動を抑制し、かつ、光束を偏向手段の所定の位置へ照射することができる光走査装置および画像形成装置および光学素子組み付け方法を提供することである。
【課題を解決するための手段】
【０００９】
上記目的を達成するために、請求項１の発明は、第１光源と、前記第１光源に対して副走査方向にずれて配置された第２光源と、各光源に対応して設けられ、光源から射出される光束を略平行光に偏向する一対の第１光学素子と、各光源に対応して設けられ、第１光学素子を通過した光束を副走査方向に集光する一対の第２光学素子と、各第２光学素子を通過した光束を偏向走査する偏向手段と、前記第１、第２光源、および第１、第２の光学素子を保持する光学素子保持部材と、前記光学素子保持部材および前記偏向手段を保持し、開放面を有する光学ハウジングと、前記光学ハウジングの開放面を覆うカバー部材とを備えた光走査装置であって、前記光学素子保持部材は、第１光源と第２光源とが取り付けられる光源取り付け部と、前記副走査方向に対して垂直な板状の形状であって、前記光学素子保持部材を前記光学ハウジングに締結するための締結部材が挿入される複数の挿入穴を有し、前記一対の第１光学素子が取り付けられる第１光学素子取り付け部と、第２光学素子が取り付けられ、前記光学ハウジングの開放面に対して垂直な板状の第２光学素子取り付け部とを備え、前記光学素子保持部材を、前記光学ハウジングの所定の位置に位置決めしたとき、前記挿入穴周辺部と光学ハウジングとの間に隙間を形成する隙間形成手段を前記光学素子保持部材または前記光学ハウジングに設け、前記光学素子保持部材を複数の締結部材により前記光学ハウジングに締結したことを特徴とするものである。
【００１０】
また、請求項１２の発明は、第１光源と、前記第１光源に対して副走査方向にずれて配置される第２光源と、各光源に対応して設けられ、光源から射出される光束を略平行光に偏向する一対の第１光学素子と、各光源に対応して設けられ、第１光学素子を通過した光束を副走査方向に集光する一対の第２光学素子とを、各第２光学素子を通過した光束を偏向走査する偏向手段が保持された光走査装置の光学ハウジングに組み付ける光学素子組付け方法において、第１光源と第２光源とが取り付けられる光源取り付け部と、前記副走査方向に対して垂直な板状の形状であって、前記光学ハウジングに締結するための締結部材が挿入される複数の挿入穴を有し、前記一対の第１光学素子が取り付けられる第１光学素子取り付け部と、前記光学ハウジングの開放面に対して垂直な板状の形状であって、第２光学素子が取り付けられる第２光学素子取り付け部とを備えた光学素子保持部材に、前記第１光源、前記第２光源および前記一対の第１光学素子を前記光学素子保持部材に取り付ける工程と、前記第１光学素子取り付け部に設けられた締結部材が挿入される複数の挿入穴周辺部と光学ハウジングとの間に所定の隙間が形成されるよう光学素子保持部材を光学ハウジングに位置決めする工程と、前記複数の挿入穴にそれぞれ締結部材を挿入して、前記保持部材を、前記締結部材により前記光学ハウジングに締結する工程と、前記各光源から出射された光束が前記偏向手段の規定の位置に照射されるように、一対の第２光学素子の前記光学素子保持部材に対する取り付け姿勢を調整する工程と、前記光学素子保持部材に対する取り付け姿勢を維持した状態で、各第２光学素子を前記光学素子保持部材の第２光学素子取り付け部に取り付ける工程とを有することを特徴とするものである。
【００１１】
本発明者らは、光学素子保持部材を光学ハウジングに複数の締結部材で締結しても、偏向手段の所定の位置に光を照射することができないか鋭意研究を重ね、光束を副走査方向に集光する第２光学素子の特性に着目した。すなわち、この第２光学素子は、光束を副走査方向に集光するため、光源から出射された光束の光路の規定の光路に対する副走査方向のズレや傾きは、第２光学素子の光学素子保持部材に対する取り付け姿勢の調整により補正することができるという特性に着目したのである。この特性に着目し、本発明者らは、光学素子保持部材を光学ハウジングに締結部材の締結による光束の規定の光路に対する副走査方向のズレや傾きは許容し、主走査方向のズレや傾きは抑制できるよう光走査装置を構成する。そして、光学素子保持部材を光学ハウジングに締結後、第２光学素子の姿勢を調整して、副走査方向のズレや傾きを補正して第２光学素子を光学素子保持部材に取り付ければ、光学素子保持部材を光学ハウジングに複数の締結部材で締結しても、回転偏向器の所定の位置に書込光を照射することができるという結論に到った。
【００１２】
そして、このような構成を実現すべく、本発明者らは、さらなる鋭意検討を重ね、次のような光走査装置を発明した。まず、光学素子保持部材の第１光学素子が取り付けられる第１光学素子取り付け部を、副走査方向に対して垂直な板状の形状にし、この第１光学素子取り付け部に光学ハウジングに締結するための締結部材が挿入される複数の挿入穴を設けた。このように構成することにより、光学素子保持部材を締結部材により光学ハウジングに締結したとき、光学素子保持部材には、副走査方向に締結力が働く。これにより、光学素子保持部材は、締結部材の締結力により副走査方向に撓む。その結果、光学素子保持部材の締結力の撓みによる光源から出射された光束の規定の光路に対するずれを、副走査方向の傾きにすることができる。
【００１３】
次に、光学素子保持部材を光学ハウジングに取り付けたとき、第１光学素子取り付け部の上記挿入穴周辺部と光学ハウジングとの間に隙間が生じるように構成した。このように、第１光学素子取り付け部の上記挿入穴周辺部と光学ハウジングとの間に隙間が生じるようにすることで、締結部材の締結力で光学素子保持部材を積極的に副走査方向に撓ませることができる。また、第１光学素子取り付け部を、副走査方向に対して垂直な板状の形状にしたことも、締結部材の締結力で光学素子保持部材を積極的に副走査方向に撓ませることができる一要因である。このように挿入穴周辺部を積極的に副走査方向に撓ませる構成とすることで、各締結部材の締結力に差が生じたとしても、その差は、第１光学素子取り付け部の挿入穴周辺部の副走査方向の撓み量の差となり、各締結部材の締結力の差により光学素子保持部材全体が光学ハウジングに対して傾いて締結されるのを抑制することができる。その結果、光源から出射された光束の光路が、規定の光路に対して主走査方向にずれたり、主走査方向に傾いたりするのを抑制することができる。
【００１４】
上記のように、光走査装置を構成することにより、光学素子保持部材を締結部材で締結したときの光源から出射された光束の規定の光路に対するずれを、副走査方向に傾きのみにすることができる。よって、光学素子保持部材を光学ハウジングに締結後、第２光学素子の姿勢を調整し、上記副走査方向の傾きを補正して、第２光学素子を光学素子保持部材に取り付けることで、偏向手段の所定の位置に書込光を照射することができる。
【００１５】
光学素子保持部材を光学ハウジングに締結後、第２光学素子の姿勢を調整し、副走査方向の傾きを補正して、第２光学素子を光学素子保持部材に取り付けることができるよう、本発明は、第２光学素子取り付け部を次のように構成した。すなわち、光学素子保持部材の第２光学素子取り付け部を、光学ハウジングの開放面に対して垂直な板状の形状にしたのである。これにより、光学ハウジングの開放面から光学ハウジングに締結された光学素子保持部材の第２光学素子取り付け部にアクセスして、各第２光学素子の姿勢を調整し、一対の第２光学素子を光学素子保持部材に取り付けることができる。
【発明の効果】
【００１６】
本発明によれば、光学素子保持部材を光学ハウジングに締結部材で締結することにより、光学ハウジングに対して容易に光学素子保持部材を着脱することができ、かつ、特許文献１に記載の光走査装置のように光学素子保持部材を板バネと光学ハウジングとで挟持固定するものに比べて、光学素子保持部材の振動を抑制することができる。これにより、光走査の劣化を抑制することができる。
また、光学素子保持部材を光学ハウジングに締結部材で締結したとしても、各光源から出射された光束を、偏向手段の規定の位置へ照射することができる。
【図面の簡単な説明】
【００１７】
【図１】本実施形態に係る画像形成装置としてのプリンタを示す模式図。
【図２】第１の書込装置の周辺を示す斜視図。
【図３】第１の書込装置の光学ハウジングに収納された光学部品を示す斜視図。
【図４】光学ハウジングにＬＤユニットをネジで締結するときの様子を説明する斜視図。
【図５】光学ハウジングに取り付ける前のＬＤユニットを上側から見た斜視図。
【図６】光学ハウジングに取り付ける前のＬＤユニットを下側から見た斜視図。
【図７】シリンドリカルレンズが保持部材に取り付けられる前のＬＤユニットを光学ハウジングに取り付けた様子を示す断面図。
【図８】光学ハウジングに締結された保持部材に、シリンドリカルレンズを取り付けた様子を示す断面図。
【図９】各突当部と、ネジ挿入穴との関係を示す図。
【発明を実施するための形態】
【００１８】
以下、本発明を、電子写真方式の画像形成装置である複写機に適用した一実施形態について説明する。
【００１９】
図１は、本実施形態に係る画像形成装置としてのプリンタ１０を示す模式図である。
このプリンタ１０は、主に、イエロー（以下「Ｙ」と記載し、イエロー用の部材の符号には色別符号として「Ｙ」を付す。シアン、マゼンタ、ブラックについても同様。）用の作像部４Ｙ、Ｍ（マゼンタ）用の作像部４Ｍ、Ｃ（シアン）用の作像部４Ｃ、ＢＫ（ブラック）用の作像部４ＢＫの４つの作像部と、中間転写材である中間転写ベルト１とを有している。また、作像部４Ｙ，Ｍ，Ｃ，ＢＫの上には、第１の書込装置５ａ、第２の書込装置５ｂの一部が重なるようにして横並びに配置されている。
【００２０】
各書込装置５ａ，５ｂは、パーソナルコンピュータ、ワードプロセッサ等から入力される色分解された画像データを、光源駆動用の信号に変換し、それに従い各レーザ光源ユニット内の半導体レーザを駆動して光ビームを出射するようになっている。
【００２１】
各作像部４Ｙ，４Ｍ，４Ｃ，４ＢＫは、それぞれ、回転駆動される潜像担持体としての感光体４１Ｙ，４１Ｍ，４１Ｃ，４１ＢＫ、それぞれの感光体４１Ｙ，４１Ｍ，４１Ｃ，４１ＢＫの周囲に配置される帯電部４２Ｙ，４２Ｍ，４２Ｃ，４２ＢＫ、現像部４３Ｙ，４３Ｍ，４３Ｃ，４３ＢＫ、クリーニング部４４Ｙ，４４Ｍ，４４Ｃ，４４ＢＫ等により構成されている。感光体４１Ｙ，４１Ｃ，４１Ｍ，４１ＢＫは、円筒状に形成された感光体ドラムであり、図示しない駆動源により回転駆動される。各帯電部４２Ｙ，４２Ｍ，４２Ｃ，４２ＢＫは、それぞれ対応する感光体４１Ｙ，４１Ｍ，４１Ｃ，４１ＢＫ４１の表面を所定電位となるように一様帯電するものである。本実施形態の帯電部４２Ｙ，４２Ｍ，４２Ｃ，４２ＢＫは、帯電ローラ等の帯電部材を感光体４１Ｙ，４１Ｍ，４１Ｃ，４１ＢＫの表面に接触又は近接させて帯電処理する接触帯電方式のものを採用しているが、これに限られない。
【００２２】
第１の書込装置５ａから出射された光ビームが帯電部４２Ｂｋ，４２Ｃにより一様帯電された感光体４１Ｂｋ，４１Ｃの表面にスポット照射されることにより、感光体４１Ｂｋ，４１Ｃ表面にはそれぞれの画像情報に応じた静電潜像が書き込まれる。また、第２の書込装置５ｂから出射された光ビームが帯電部４２Ｍ，４２Ｙにより一様帯電された感光体４１Ｍ，４１Ｙの表面にスポット照射されることにより、感光体４１Ｍ，４１Ｙ表面にはそれぞれの画像情報に応じた静電潜像が書き込まれる。
【００２３】
各現像部４３Ｙ，４３Ｍ，４３Ｃ，４３ＢＫは、感光体４１Ｙ，４１Ｍ，４１Ｃ，４１ＢＫ上の静電潜像にトナーを付着させることにより、その静電潜像をトナー像として顕像化させるもので、感光体４１Ｙ，４１Ｍ，４１Ｃ，４１ＢＫに対して非接触状態でトナーを供給する非接触現像方式のものが採用されている。各クリーニング部４４Ｙ，４４Ｍ，４４Ｃ，４４ＢＫは、感光体４１Ｙ，４１Ｍ，４１Ｃ，４１ＢＫの表面に付着している転写残トナー等の不要物を除去するもので、感光体表面にブレード部材を接触させてクリーニングするブレード方式のものが採用されている。
【００２４】
作像部４Ｙ，４Ｍ，４Ｃ，４ＢＫの鉛直方向下方には、無端状の中間転写ベルト１を張架しながら図中反時計回り方向に無端移動せしめる転写ユニット１２が配設されている。転写手段たる転写ユニット１２は、中間転写ベルト１の他に、テンションローラ２、２次転写対向ローラ３、４つの１次転写ローラ６Ｙ，６Ｍ，６Ｃ，６ＢＫ、２次転写ローラ７、不図示のベルトクリーニング装置などを備えている。
【００２５】
転写ユニット１２の鉛直方向下方には、シートを複数枚重ねた紙束の状態で収容している給紙カセット１３が配設されている。この給紙カセット１３は、シート束の一番上のシートに給紙ローラ１３ａを当接させており、これを所定のタイミングで図中反時計回り方向に回転させることで、そのシートを送り出す。
【００２６】
各感光体４１Ｙ，４１Ｍ，４１Ｃ，４１ＢＫ上に形成された各色トナー像が、各一次転写ローラ６Ｙ，６Ｍ，６Ｃ，６ＢＫによって、順次中間転写ベルト１に互いに重なり合うように転写される。このように重なった中間転写ベルト１上の画像は、２次転写ローラ７によってシートに転写される。
画像が転写されたシートは、その後に定着器１４に搬送され、熱と圧力によって画像がシートに定着される。その後、シートは、排紙ローラ対１５により排紙カバー１６へ排出される。
【００２７】
次に、書込装置５ａ，５ｂについて説明する。第１，第２の書込装置５ａ，５ｂは、排紙カバー１６の傾斜に略平行に対向するように傾いて設置されていて、両者がプリンタ１０の排紙側から見て一部重なるように配置されている。もちろん略平行でなかったり、重なりがなかったりしても問題ないが、重なる部分をもつことでプリンタ１０を小型化することができる。
【００２８】
第１の書込装置５ａ、第２の書込装置５ｂの構成は、同じであるので、以下の説明では、第１の書込装置５ａについて説明する。
図２は、第１の書込装置５ａの周辺を示す斜視図であり、図３は、第１の書込装置５ａの光学ハウジング５００に収納された光学部品を示す斜視図である。
第１の書込装置５ａは、ＢＫ色の感光体４１ＢＫとＣ色の感光体４１Ｃとに走査光線Ｌを照射するものであり、図２、図３に示すように、ＬＤユニット１００、ポリゴンスキャナ５３、走査レンズ（ｆθレンズ）５４、反射ミラー５５Ｃ，５５ＢＫ，５６ＢＫなどを有し、これらが光学ハウジング５００に収納されている。光学ハウジング５００の開放面は、不図示のカバー部材で覆われていて、書込装置内への塵芥の侵入を防いでいる。ＬＤユニット１００、ポリゴンスキャナ５３は、光学ハウジング５００の一端側に収納されている。
【００２９】
ＬＤユニット１００は、感光体４１ＢＫに走査光線ＬＢｋを照射するための半導体レーザからなるＢＫ用の光源５２ＢＫ、感光体４１Ｃに走査光線Ｌｃを照射するための半導体レーザからなるＣ用の光源５２Ｃを備えている。ＬＤユニット１００は、光源５２ＢＫから出射された光束とＣ色用の光源５２Ｃから出射された光束とがポリゴンミラー５３ａの同じ位置に照射するようにＢＫ色用光源５２ＢＫ及びＣ色用光源５２Ｃを保持している。また、ＬＤユニット１００は、Ｂｋ色用のコリメートレンズ５１Ｂｋ、Ｃ色用のコリメートレンズ５１Ｃ（図８参照）、Ｂｋ色用のシリンドリカルレンズ５９Ｂｋ、Ｃ色用のシリンドリカルレンズ５９Ｃ（図８参照）も保持している。なお、ＬＤユニット１００の詳細については、後述する。
【００３０】
偏向手段としてのポリゴンスキャナ５３は、正多角柱形状からなる回転多面鏡たるポリゴンミラー５３ａと、不図示のポリゴンモータと、ポリゴンモータの駆動を制御するための電子部品を搭載した回路基板５３ｂとで構成されており、光学ハウジング５００の一端部にネジによって締結されている。ポリゴンミラー５３ａは、その６つの側面に反射鏡を有している。本実施形態においては、ポリゴンミラー５３ａを正六角柱形状として、側面に６つの反射鏡を有しているが、これに限定されるものではない。
【００３１】
ＢＫ色用の光源５２ＢＫから出射された光束は、コリメートレンズ５１Ｂｋにより、発散光束が平行光束に変換された後、シリンドリカルレンズ５９Ｂｋを透過することで、副走査方向（感光体表面上における感光体表面移動方向に相当する方向）に集光せしめられ、ポリゴンミラー５３ａに入射する。ポリゴンミラー５３ａに入射した光は、ポリゴンミラー５３ａの反射鏡に反射しながら主走査方向（感光体表面上における軸線方向に相当する方向）に偏向せしめられ、ポリゴンミラー５３ａによって一定の角速度で主走査方向に偏向せしめられる光束の偏向方向の移動速度を等速に変換する走査レンズ５４、図３に示すように、第１反射ミラー５５ＢＫ、第２反射ミラー５６ＢＫを順次経由する。そして、光学ハウジング５００の底面に形成された開口部５０４ＢＫを覆うようにして設けられた防塵ガラス５８ＢＫを透過して感光体４１ＢＫの表面を光走査する。
【００３２】
また、Ｃ色用の光源５２Ｃから出射された光束は、同様にコリメートレンズ５１Ｃやシリンドリカルレンズ５９Ｃを通過して、ポリゴンミラー５３ａのＫ色の光束と、同一の位置に入射する。そして、ポリゴンミラー５３ａの反射鏡に反射しながら主走査方向に偏向せしめられ、走査レンズ５４、第１反射ミラー５５Ｃ、防塵ガラス５８Ｃを透過して感光体４１Ｃの表面を光走査する。本実施形態においては、１枚の走査レンズ５４を使用する構成であるが、Ｋ色用、Ｃ色用それぞれの走査レンズを有する構成でもよい。また、走査レンズ５４として、副走査方向にパワーを持つ走査レンズを用いて、ポリゴンミラーの面倒れを補正する構成でもよい。また、走査レンズ５４から防塵ガラスまでの光路上にシリンドリカルレンズを設けて、ポリゴンミラーの面倒れを補正する構成でもよい。
【００３３】
本実施形態においては、Ｃ色の光束とＫ色の光束を、ポリゴンミラーの同一の位置に照射している。これにより、ポリゴンミラーが一枚で済んだり、ポリゴンミラーの高さ（副走査方向長さ）を低く抑えたりすることができ、装置の小型化を図ることができるとともに、装置を安価にすることができる。
【００３４】
次に、本実施形態の特徴点であるＬＤユニット１００について、説明する。
図４は、光学ハウジングにＬＤユニット１００をネジで締結するときの様子を説明する斜視図であり、図５は、光学ハウジング５００に取り付ける前のＬＤユニット１００を上側から見た斜視図であり、図６は、光学ハウジング５００に取り付ける前のＬＤユニット１００を下側から見た斜視図である。また、図７は、シリンドリカルレンズ５９Ｂｋ，５９Ｃが保持部材１０４に取り付けられる前のＬＤユニット１００を光学ハウジング５００に取り付けた様子を示す断面図であり、図８は、光学ハウジング５００に締結された保持部材１０４に、シリンドリカルレンズ５９Ｂｋ，５９Ｃを取り付けた様子を示す断面図である。
【００３５】
本実施形態のＬＤユニット１００は、Ｂｋ色とＣ色用の光源５２Ｂｋ，５２Ｃ、コリメートレンズ５１Ｂｋ，５１Ｃ、シリンドリカルレンズ５９Ｂｋ，５９Ｃを保持する学素子保持部材である樹脂製の保持部材１０４を有している。保持部材１０４は、光源５２Ｂｋ，５２ｃが、副走査方向に並んで取り付けられる光源取り付け部１０１と、第１光学素子であるコリメートレンズ５１Ｂｋ，５１Ｃが取り付けられる副走査方向に対して垂直な板状の第１光学素子取り付け部１０２と、第２光学素子たるシリンドリカルレンズ５９Ｂｋ，５９Ｃが取り付けられる光学ハウジング５００の開放面に対して垂直な板状の第２光学素子取り付け部１０３とを有している。
【００３６】
光源取り付け部１０１には、第１取り付け孔１０１ａと、この第１取り付け孔１０１ａに対して副走査方向並んで設けられた不図示の第２取り付け孔とを有している。第１取り付け孔１０１ａにＢｋ色の光源５２Ｂｋが圧入されることで、Ｂｋ色の光源５２Ｂｋが、第１取り付け孔１０１ａに取り付けられる。また、Ｃ色の光源５２Ｃが第２取り付け孔に圧入させることで、Ｃ色の光源５２Ｃが、第２取り付け孔に取り付けられる。本実施形態においては、光源５２Ｂｋ，５２Ｃを取り付け孔に圧入することで、光源５２Ｂｋ，５２Ｃを光源取り付け部１０１に取り付けているが、例えば、板バネにより光源５２Ｂｋ，５２Ｃを光源取り付け部１０１に取り付けてもよい。
【００３７】
第１光学素子取り付け部１０２は、光源取り付け部１０１の第１取り付け孔１０１ａと第２取り付け孔の間を仕切るように設けられており、一方の面（光学ハウジング５００の開放面と対向する面）にＢｋ色用のコリメートレンズ５１Ｂｋが接着固定され、他方の面（光学ハウジング５００の底面と対向する面）にＣ色用のコリメートレンズ５１Ｃが接着固定される。本実施形態においては、各コリメートレンズ５１Ｂｋ，５１Ｃを第１光学素子取り付け部１０２に接着固定しているが、板バネにより第１光学素子取り付け部１０２に取り付けてもよい。また、本実施形態では、コリメートレンズ５１Ｂｋ，５１Ｃを直接、第１光学素子取り付け部１０２に接着固定しているが、コリメートレンズ５１Ｂｋ，５１Ｃを保持する中間部材を介して、第１光学素子取り付け部１０２に接着固定してもよい。また、第１光学素子取り付け部１０２の主走査方向両端部付近には、図４に示すように、締結部材たるネジ１１０が挿入されるネジ挿入穴１０６が設けられている。
【００３８】
また、第１光学素子取り付け部１０２のネジ挿入穴１０６の周辺部１０２ａを、他の部分に比べて薄肉にしている。また、このネジ挿入穴周辺部１０２ａには、スリット部１０７と、ネジ１１０の座面が当接する座面当接突起部１０５が形成されている。ネジ挿入穴１０６は、コリメートレンズ５１Ｂｋ，５１Ｃが取り付けられる箇所よりも光束進行方向下流側に配置されており、スリット部１０７は、ネジ挿入穴１０６よりも光束進行方向上流側に設けられている。スリット部１０７は、主走査方向に延びる部分と、光軸方向に延びる部分を有した略Ｌ字形状をしている。
【００３９】
第２光学素子取り付け部１０３は、第１光学素子取り付け部１０２の主走査方向中央部に対して、どちらか一方（図３では、図中右側）に寄っており、寄った側と反対側の面（図３では、図中左側の面）に、Ｂｋ色用のシリンドリカルレンズ５９ＢｋとＣ色用のシリンドリカルレンズ５９Ｃとが副走査方向に並んで取り付けられる。
図４〜６に示すように、光学ハウジング５００にＬＤユニット１００を取り付ける前の状態では、シリンドリカルレンズ５９Ｂｋ、５９Ｃは、第２光学素子取り付け部１０３に取り付けられておらず、後述するように、保持部材１０４を光学ハウジング５００にネジ１１０により締結した後、シリンドリカルレンズ５９Ｂｋ、５９Ｃを、第２光学素子取り付け部１０３に取り付ける。このため、第２光学素子取り付け部１０３は、光学ハウジング５００の開放面に対して、垂直な板状の形状にして、保持部材１０４を光学ハウジング５００に締結後に、シリンドリカルレンズ５９Ｂｋ，５９Ｃを取り付けられるようにしている。
【００４０】
また、図４に示すように、光学ハウジング５００には、ネジ１１０がネジ止めされるための内周面に雌ネジが形成されたネジ穴５０４が設けられており、ネジ穴５０４の周囲は、光学ハウジング側から突出して、ネジ１１０で保持部材１０４を締結したとき、第１光学素子取り付け部１０２の撓み変形を規制するための変形規制部５０３が形成されている。
【００４１】
図６に示すように、光源取り付け部１０１の光学ハウジング５００の底面と対向する箇所には、光学ハウジング５００に突き当る円柱形状の第１突当部１０８ａが設けられている。また、第１光学素子取り付け部１０２の光学ハウジング５００の底面と対向面の第２光学素子取り付け部１０３側で、主走査方向一端部には、光学ハウジングに突き当る円柱形状の第２突当部１０８ｂが設けられている。また、第１光学素子取り付け部１０２の光学ハウジング５００の底面との対向面の第２光学素子取り付け部１０３側で、主走査方向他端部には、光学ハウジング５００に突き当る円柱形状の第３突当部１０８ｃが設けられている。図７に示すように、各突当部１０８ａ，１０８ｂ，１０８ｃの突出量は、変形規制部５０３の突出量よりも多くなっている。光学ハウジング５００には、ＬＤユニット１００（保持部材１０４）を副走査方向に位置決めするための第１平面５００ａと第２平面５００ｂとを有している。保持部材１０４を光学ハウジング５００に取り付けると、第１突当部１０８ａは、光学ハウジング５００の第１平面５００ａに当接し、第２突当部１０８ｂと第３突当部１０８ｃが、光学ハウジング５００の第２平面に当接することで、ＬＤユニット１００（保持部材１０４）が、副走査方向に位置決めされる。また、これら３個の突当部１０８ａ，１０８ｂ，１０８ｃが光学ハウジングに突き当って、保持部材１０４が、光学ハウジング５００に対して位置決めされたとき、変形規制部５０３と第１光学素子取り付け部のネジ挿入穴周辺部１０２ａとの間に所定の隙間が生じるようになっている。すなわち、上記３個の突当部１０８ａ，１０８ｂ，１０８ｃが、隙間形成手段として機能している。また、本実施形態においては、各突当部１０８ａ，１０８ｂ，１０８ｃを保持部材１０４に設けているが、光学ハウジング５００に設けてもよい。
【００４２】
光学ハウジング５００を型成形にて作り込む際は、副走査方向の基準を第１平面５００ａとして、寸法規定するとよい。第１平面５００ａを副走査方向の基準とすることで、第２平面の副走査方向に寸法誤差があった場合、光学ハウジング５００に取り付けられたＬＤユニット１００（保持部材１０４）は、第１平面５００ａを基準にして副走査方向に傾くためである。また、第２平面５００ｂの他に、ポリゴンスキャナ５３、走査レンズ５４あるいは反射ミラー５５、５６の副走査方向の公差もこの第１平面５００ａから寸法規定となり、光ビーム径への影響が大きい光源５２Ｂｋ，５２Ｃの位置から積みあがる寸法誤差が少なくなる。
【００４３】
図９は、各突当部１０８ａ，１０８ｂ，１０８ｃと、ネジ挿入穴１０６との関係を示す図である。
図中破線で示す保持部材１０４の３つの突当部１０８ａ，１０８ｂ，１０８ｃを結んだ三角形は、第１突当部１０８ａから第２突当部１０８ｂまでの辺Ａの長さと、第１突当部１０８ａから第３突当部１０８ｃまでの辺Ｂの長さが等しい２等辺三角形が望ましい。また、ネジ挿入穴１０６は、辺Ａ上と、辺Ｂ上とに設けている。
【００４４】
次に、このＬＤユニット１００の光学ハウジング５００への取り付けについて、説明する。
まず、各光源５２Ｂｋ，５２Ｃを光源取り付け部１０１の取り付け孔に圧入する。次に、各コリメートレンズ５１Ｂｋ，５１Ｃを汎用の光学センサや光ビームスキャンを用いた光源調整治具にて、各光源５２Ｂｋ，５２Ｃから出射された光ビームが略平行光となるように各コリメートレンズ５１Ｂｋ，５１Ｃの位置調整を行い、第１光学素子取り付け部１０２に接着固定する。次に、各光源５２Ｂｋ，５２Ｃ、各コリメートレンズ５１Ｂｋ，５１Ｃが取り付けられた保持部材１０４を締結部材たるネジ１１０により光学ハウジング５００に締結する。具体的には、図４に示すように、ネジ１１０をネジ挿入穴１０６に挿入して、光学ハウジング５００に設けられたネジ穴５０４にネジ１１０をねじ込むことで、保持部材１０４が、光学ハウジング５００に締結される（図７参照）。
【００４５】
ネジ１１０を光学ハウジング５００のネジ穴５０４にねじ込んでいくと、ネジ１１０の座面が、座面当接突起部１０５に当接して、第１光学素子取り付け部１０２を、光学ハウジング５００の底面側へ押圧する。このとき、図７に示すように、第１光学素子取り付け部１０２のネジ挿入穴周辺部１０２ａと光学ハウジング５００との間に隙間があり、第１突当部１０８ａ、第２突当部１０８ｂ、第３突当部１０８ｃの３箇所のみが、光学ハウジング５００の底面と当接している。そのため、ネジ１１０を光学ハウジング５００のネジ穴５０４にねじ込んで、ネジ１１０の座面が第１光学素子取り付け部１０２を押圧していくと、第１光学素子取り付け部１０２が、光学ハウジング５００の底面側に撓む。このように、保持部材１０４の第１光学素子取り付け部１０２を撓ませて、保持部材１０４を光学ハウジング５００に締結することで、大きな締結力で保持部材１０４を光学ハウジング５００に取り付けることができる。
【００４６】
経時的に、画像形成装置に高温・低温を繰り返すヒートサイクルような外乱や、ポリゴンスキャナ５３の発熱による書込装置５内の温度上昇が繰り返し加わることで、保持部材１０４が厚み方向の膨張伸縮を繰り返し、やがてネジ１１０の締結力が落ちる可能性が高い。特に、本実施形態においては、保持部材１０４や光学ハウジング５００を金属と比較して熱に対する伸縮膨張が大きい樹脂で形成しているため、ネジ１１０の締結力が経時に低下していく可能性が高い。しかし、本実施形態においては、上述したように、大きな締結力で保持部材１０４を光学ハウジング５００に締結することができるので、経時使用で多少ネジ１１０の締結力が低下したとしても、十分な締結力で保持部材１０４を光学ハウジング５００に締結し続けることができる。これにより、経時の使用でネジ１１０の締結力が低下して、ポリゴンミラー５３ａの回転時の振動や、感光体４１などを駆動する駆動ユニットの振動などにより、保持部材１０４が、振動するのを抑制することができる。これにより、経時わたりバンディングなどの異常画像が生じるのを抑制することができる。
【００４７】
また、本実施形態においては、ネジ挿入穴周辺部１０２ａを薄肉にし、さらに、そのネジ挿入穴周辺部１０２ａにスリット部１０７を設けることで、第１光学素子取り付け部１０２の撓み変形をネジ挿入穴周辺部１０２ａに集中させることができる。これにより、第１光学素子取り付け部１０２のコリメートレンズ周辺が光学ハウジング５００の底面側に撓んだり、光源取り付け部１０１が第１光学素子取り付け部１０２の撓み変形に伴って副走査方向に対して傾いたりするのを抑制することができ、各光源５２Ｂｋ，５２Ｃから出射された光束の光路が、規定の光路に対して副走査方向に傾くのを抑制することができる。特に、ネジ挿入穴１０６をコリメートレンズ５１Ｂｋ，５１Ｃよりも光束進行方向下流側に設けて、コリメートレンズ５１Ｂｋ，５１Ｃや光源取り付け部１０１から離して設けることにより、第１光学素子取り付け部１０２のコリメートレンズ周辺が光学ハウジング５００の底面側に撓んだり、光源取り付け部１０１が第１光学素子取り付け部１０２の撓み変形に伴って副走査方向に対して傾いたりするのをさらに抑制することができる。また、スリット部１０７を、ネジ挿入穴１０６よりも光束進行方向上流側に設けることで、第１光学素子取り付け部１０２のコリメートレンズ周辺が光学ハウジング５００の底面側に撓んだり、光源取り付け部１０１が第１光学素子取り付け部１０２の撓み変形に伴って副走査方向に対して傾いたりするのをさらに抑制することができる。
【００４８】
また、第１光学素子取り付け部１０２の光源取り付け部１０１との接続部からコリメートレンズ５１Ｂｋ，５１Ｃが取り付けられる箇所までの領域を他の領域よりも肉厚にしてもよい。このように構成することで、第１光学素子取り付け部１０２のコリメートレンズ周辺が光学ハウジング５００の底面側に撓んだり、光源取り付け部１０１が第１光学素子取り付け部１０２の撓み変形に伴って副走査方向に対して傾いたりするのを抑制することができる。
【００４９】
また、保持部材１０４を２本のネジ１１０で光学ハウジング５００に締結するので、主走査方向一端側のネジ１１０の締結力と主走査方向他端側のネジ１１０の締結力に差が生じる場合がある。しかし、本実施形態においては、第１光学素子取り付け部１０２のネジ挿入穴周辺部１０２ａと光学ハウジング５００の第２平面５００ｂとの間に隙間を形成し、ネジ挿入穴周辺部１０２ａを副走査方向に撓みやすくしている。これにより、各ネジの締結力の差は、ネジ挿入穴周辺部１０２ａの副走査方向の撓み量の差となり、保持部材１０４が、主走査方向に対して傾いて取り付けられるのを抑制することができる。これにより、光源から出射される光束の光路が、規定の光路に対して主走査方向にずれるのを抑制することができる。
【００５０】
また、先の図９に示したように、ネジ挿入穴１０６を、第１突当部１０８ａと第２突当部１０８ｂとを結んだ線分上と、第１突当部１０８ａと第３突当部１０８ｃとを結んだ線分上とに設けている。これらの位置にネジ挿入穴１０６を設けることで、ネジ１１０の座面は、第１光学素子取り付け部の第１突当部１０８ａと第２突当部１０８ｂとにより両持ち支持された構造の部分と、第１突当部１０８ａと第３突当部１０８ｃとにより両持ち支持された構造の部分とを押圧することになる。これにより、ネジ１１０の締結力を、各突当部１０８ａ，１０８ｂ，１０８ｃを介して光学ハウジング５００でしっかりと受けることができる。その結果、各ネジの締結力に差があったとしても、保持部材１０４が、主走査方向に対して傾くのをより一層抑制することができる。これにより、光源から出射される光束の光路が、規定の光路に対して主走査方向にずれるのを抑制することができる。本実施形態においては、図９の破線で示す２等辺三角形の辺Ａと辺Ｂ上にネジ挿入穴１０６を設けているが、破線の２等辺三角形の領域内であればよい。破線の２等辺三角形の領域内に設けることで、第１光学素子取り付け部１０２の両持ち支持された構造の部分をネジ１１０が押圧するので、上述と同様の効果が期待できる。
【００５１】
また、本実施形態においては、光学ハウジング５００のネジ穴５０４の周囲に変形規制部５０３を設けることにより、ネジ１１０をねじ込みすぎて、第１光学素子取り付け部１０２が副走査方向に撓みすぎるのを抑制することができる。また、座面当接突起部１０５を設けることにより、ネジ１１０が多少斜めにネジ込まれたり、ネジ１１０の座面が傾いていたりしても、ネジ１１０の座面が、座面当接突起部１０５と当接する。これにより、ネジ１１０が第１光学素子取り付け部１０２の同じ位置を押圧することができ、第１光学素子取り付け部１０２に光軸回りのねじり変形が生じるのを抑制することができる。これにより、光源取り付け部１０１が、第１光学素子取り付け部１０２がねじり変形によって光軸回りに倒れるのを抑制することができ、各光源５２Ｂｋ，５２Ｃからの光束が規定の光路に対して主走査方向に傾くのを抑制することができる。
【００５２】
このように、本実施形態においては、ネジの締結力により、保持部材１０４は、副走査方向に撓むだけであり、光学ハウジング５００締結後の光源から出射された光束の光路は、規定の光路に対して、副走査方向に傾くだけである。
【００５３】
保持部材１０４を光学ハウジング５００に締結したら、各シリンドリカルレンズ５９Ｂｋ，５９Ｃを、第２光学素子取り付け部１０２に取り付ける。本実施形態においては、保持部材１０４をネジ１１０で光学ハウジング５００に締結したとき、第１光学素子取り付け部１０２が、副走査方向（光学ハウジングの底面側）に撓むことにより、光源取り付け部１０１が、副走査方向に対して傾いている場合がある。その結果、各光源５２Ｂｋ，５２Ｃから出射した光束の光路は、規定の光路に対して副走査方向に傾く場合がある。しかし、本実施形態においては、保持部材１０４を光学ハウジング５００に締結後にシリンドリカルレンズ５９Ｂｋ，５９Ｃを取り付けることにより、このような光路の副走査方向の傾きを補正することができ、ポリゴンミラー５３ａの所定の位置に各光源から出射された光束を照射させることができる。
【００５４】
まず、Ｃ色のシリンドカルレンズ５９Ｃを、第２光学素子取り付け部１０３に取り付ける。具体的には、Ｃ色のシリンドリカルレンズ５９Ｃを、光軸方向、副走査方向、主走査方向、光軸方向回り、副走査方向回り、主走査方向回りに調整可能な不図示のチャック部材に保持する。次に、Ｃ色の光源５２Ｃから光ビームを照射させ、ポリゴンミラー５３ａを回転させながら、Ｃ色の感光体４１Ｃの像面位置に汎用の光ビームスキャンやＣＣＤカメラを配置して、光ビーム径や、像面位置などを測定しながらチャック部材を移動させ、所定のビーム径や所定の像面位置に光が照射されるようシリンドリカルレンズ５９Ｃの位置調整を行う。シリンドリカルレンズ５９は、副走査方向に光を集光する光学素子であるので、規定の光路に対する副走査方向の傾きは、シリンドリカルレンズ５９を主走査方向回りに姿勢を変化させることで、補正され、感光体４１の所定の位置に光を照射することができる。次に、位置調整が終了したら、Ｃ色のシリンドリカルレンズ５９と第２光学素子取り付け部１０３との間に紫外線硬化型の接着剤を充填し、紫外線を照射し、Ｃ色のコリメートレンズ５２Ｃを第２光学素子取り付け部１０３に接着固定する。上記では、位置調整を行った後に接着剤を充填しているが、接着剤を充填した後に位置調整を行ってもよい。このようにして、Ｃ色のシリンドリカルレンズ５９Ｃを第２取り付け部１０３に取り付けたら、Ｋ色のシリンドリカルレンズ５９Ｂｋを、上述と同様にして、第２光学素子取り付け部１０３に接着固定する（図８参照）。
【００５５】
このように、保持部材１０４を光学ハウジング締結後にシリンドリカルレンズ５９Ｂｋ，５９Ｃを第２光学素子取り付け部１０３に取り付けるので、各光源５２Ｂｋ，５２Ｃから出射された光路が、規定の光路に対して副走査方向に傾いていても、ポリゴンミラーの所定の位置へ照射することができる。また、第２光学素子取り付け部１０３が、光学ハウジング５００の開放面に対して垂直な面であるので、保持部材１０４を光学ハウジング５００に締結した後でも、光学ハウジング５００の開放面から第２光学素子取り付け部１０３のシリンドリカルレンズ取り付け面にアクセスすることができ、各シリンドリカルレンズ５９Ｂｋ，５９Ｃの姿勢を調整して光学ハウジングに締結後の保持部材１０４に取り付けることができる。
【００５６】
また、本実施形態においては、保持部材１０４を光学ハウジング５００に締結後にシリンドリカルレンズ５９の姿勢を調整して取り付けているが、予めシリンドリカルレンズ５９を、姿勢調整機構を介して保持部材１０４に取り付け、このシリンドリカルレンズ５９が予め取り付けられた保持部材１０４を光学ハウジング５００に締結し、締結後姿勢調整機構を操作してシリンドリカルレンズ５９の姿勢を調整して副走査方向の傾きを補正することも考えられる。しかし、本実施形態においては、書込装置の小型化を図るため、図２に示すように、光源５２からポリゴンミラー５３ａまでの距離が短くなっており、姿勢調整機構を設けると姿勢調整機構が走査レンズ５４に干渉してしまう。そのため、姿勢調整機構を設けた構成の場合は、書込装置の小型化を十分に達成できないという不具合がある。よって、本実施形態において、保持部材１０４を光学ハウジング５００に締結後にシリンドリカルレンズ５９の姿勢を調整して取り付けるようにして、姿勢調整機構を設けないようにすることで、装置の小型化、部品点数の削減による装置のコストダウンを図ることができる。
【００５７】
また、保持部材１０４は、ネジ１１０で締結されているので、光源５２Ｂｋや光源５２Ｃに寿命がきて、ＬＤユニット１００を交換するときは、ネジ１１０を取り外すだけで、簡単にＬＤユニット１００を光学ハウジング５００から取り外すことができる。これにより、ＬＤユニット１００の交換を容易に行うことができる。また、コリメートレンズ５１Ｂｋ，５１Ｃ、シリンドリカルレンズ５９Ｂｋ，５９Ｃが一緒に交換されることで、光源交換後も所定の位置に光を照射することができる。また、ネジ１１０により保持部材１０４を光学ハウジング５００に固定するので、板バネで保持部材１０４を一方側に付勢して、光学ハウジング５００と板バネとで挟持固定するものに比べて、保持部材１０４が振動するのを抑制することができる、これにより、バンディングなどの異常画像が生じるのを抑制することができる。
【００５８】
また、上述では、光学ハウジングの一端にポリゴンスキャナ５３を配置した書込装置に本発明を適用した実施形態について説明したが、ポリゴンスキャナ５３を光学ハウジング５００の略中央部に配置して、４個の感光体４１Ｙ，４１Ｍ，４１Ｃ，４１Ｙに対して走査する対向走査方式の書込装置にも本発明を適用することができる。
【００５９】
（１）
以上、本実施形態の書込装置などの光走査装置によれば、第１光源と、第１光源に対して副走査方向にずれて配置された第２光源と、各光源に対応して設けられ、光源から射出される光束を略平行光に偏向する一対のコリメートレンズなどの第１光学素子と、各光源に対応して設けられ、第１光学素子を通過した光束を副走査方向に集光するシリンドリカルレンズなどの一対の第２光学素子と、各第２光学素子を通過した光束を偏向走査するポリゴンスキャナなどの偏向手段と、第１、第２光源、および第１、第２の光学素子を保持する保持部材１０４などの光学素子保持部材と、光学素子保持部材および偏向手段を保持し、開放面を有する光学ハウジングと、光学ハウジングの開放面を覆うカバー部材とを備えている。また、光学素子保持部材は、第１光源と第２光源とが取り付けられる光源取り付け部と、副走査方向に対して垂直な板状の形状であって、光学素子保持部材を光学ハウジングに締結するためのネジなどの締結部材が挿入される複数の挿入穴を有し、一対の第１光学素子が取り付けられる第１光学素子取り付け部と、第２光学素子が取り付けられ、前記光学ハウジングの開放面に対して垂直な板状の第２光学素子取り付け部とを備えている。また、光学素子保持部材または光学ハウジングに光学素子保持部材を、光学ハウジングの所定の位置に位置決めしたとき、挿入穴周辺部と光学ハウジングとの間に隙間を形成する隙間形成手段を設けている。また、光学素子保持部材を複数の締結部材により光学ハウジングに締結した。
【００６０】
かかる構成を備えることにより、上述したように、光学素子保持部材を光学ハウジングに締結したとき、光源から出射された光束の光路の規定の光路に対するズレを、副走査方向の傾きのみにすることができる。また、光学素子保持部材を光学ハウジングに締結した後に、第２光学素子を光学素子保持部材に取り付けることができるので、光学素子保持部材を光学ハウジングに締結することで生じる光源から出射された光束の光路の規定の光路に対する副走査方向の傾きが補正されるよう姿勢を調整して、第２光学素子を、第２光学素子取り付け部に取り付けることができる。これにより、締結部材で光学素子保持部材を光学ハウジングに締結しても、偏向手段の所定の位置に光束を照射することができる。
【００６１】
（２）
また、上記態様（１）において、隙間形成手段は、光源取り付け部または光学ハウジングの光源取り付け部と対向する箇所に設けられ副走査方向に突出する第１突当部などの第１突出部と、第１光学素子取り付け部の主走査方向の一端部または光学ハウジングの第１光学素子取り付け部の主走査方向の一端部と対向する箇所に設けられ副走査方向に突出する第２突当部などの第２突出部と、第１光学素子取り付け部の主走査方向の他端部または光学ハウジングの第１光学素子取り付け部の主走査方向の他端部と対向する箇所に設けられ副走査方向に突出する第３突当部などの第３突出部とを備えている。
かかる構成によれば、各突出部が光学ハウジングまたは光学素子保持部材に突き当ることにより、第１光源取り付け部の挿入穴周辺部と光学ハウジングとの間に隙間を形成することができる。
【００６２】
（３）
また、上記（２）に記載の態様において、光学素子保持部材を、副走査方向から見たとき、第１突出部と第２突出部と第３突出部とを結んだ領域内に前記挿入穴を設けた。これにより、第１光学素子取り付け部の両持ち支持された構造の部分を締結部材が押圧するので、締結部材の締結力を、各突出部を介して光学ハウジングでしっかりと受けることができる。その結果、各締結部材の締結力に差があったとしても、光学素子保持部材が、主走査方向に対して傾くのを抑制することができる。これにより、光源から出射される光束の光路が、規定の光路に対して主走査方向にずれるのを抑制することができる。
【００６３】
（４）
また、上記（１）乃至（３）いずれかに記載の態様において、第１光学素子取り付け部の挿入穴周辺部または光学ハウジングの挿入穴周辺部と対向する領域に、第１光学素子取り付け部の副走査方向の撓み変形を規制する変形規制部を設けた。これにより、締結部材の締結力により第１光学素子取り付け部の挿入穴周辺部が副走査方向に撓みすぎのを抑制することができる。これにより、光源から出射された光束の光路が、規定の光路に対して副走査方向に大きく傾くのを抑制することができ、第２光学素子の姿勢による修正が行えなくなるのを抑制することができる。
【００６４】
（５）
また、上記（４）に記載の態様において、変形規制部の副走査方向の突出量は、各突出部の副走査方向の突出量よりも少なくした。これにより、第１光学素子取り付け部の挿入穴周辺部と光学ハウジングとの間に隙間を有することができる。
【００６５】
（６）
また、上記（１）乃至（５）に記載のいずれかの態様において、光学素子保持部材は、樹脂製であって、第１光学素子取り付け部の光源取り付け部との接続部から第１光学素子が取り付けられる箇所までの領域を他の領域よりも肉厚にした。これにより、第１光学素子取り付け部の第１光学素子が取り付けらた箇所の周辺が光学ハウジングの底面側に撓んだり、光源取り付け部が第１光学素子取り付け部の撓み変形に伴って副走査方向に対して傾いたりするのを抑制することができる。その結果、光学素子保持部材を光学ハウジングに締結したときの光源から出射される光束の光路の副走査方向の傾きを抑えることができる。
【００６６】
（７）
また、上記（１）乃至（６）に記載のいずれかの態様において、光学素子保持部材は、樹脂製であって、第１光学素子取り付け部の前記挿入穴周辺の肉厚を他の部分よりも薄くした。このように構成することで、第１光学素子取り付け部の副走査方向の撓み変形を挿入穴周辺部に集中させることができる。これにより、第１光学素子取り付け部のコリメートレンズ周辺が光学ハウジングの底面側に撓んだり、光源取り付け部が第１光学素子取り付け部の撓み変形に伴って副走査方向に対して傾いたりするのを抑制することができる。その結果、光学素子保持部材を光学ハウジングに締結したときの光源から出射される光束の光路の副走査方向の傾きを抑えることができる。
【００６７】
（８）
また、上記（１）乃至（７）に記載のいずれかの態様において、光学素子保持部材は、樹脂製であって、第１光学素子取り付け部の挿入穴周辺にスリットを設けた。このような構成にすることでも、第１光学素子取り付け部の副走査方向の撓み変形を挿入穴周辺部に集中させることができる。これにより、第１光学素子取り付け部の第１光学素子の周辺が光学ハウジングの底面側に撓んだり、光源取り付け部が第１光学素子取り付け部の撓み変形に伴って副走査方向に対して傾いたりするのを抑制することができる。その結果、光学素子保持部材を光学ハウジングに締結したときの光源から出射される光束の光路の副走査方向の傾きを抑えることができる。
【００６８】
（９）
また、上記（１）乃至（８）に記載のいずれかの態様において、締結部材は、ネジであって、第１光学素子取り付け部から突出して、ネジの座面と当接する座面当接突起を設けた。かかる構成によれば、ネジが多少斜めにネジ込まれたり、ネジの座面が傾いていたりしても、ネジの座面が、座面当接突起と当接する。これにより、ネジが第１光学素子取り付け部の同じ位置を押圧することができ、第１光学素子取り付け部に光軸回りのねじり変形が生じるのを抑制することができる。これにより、光源取り付け部が、第１光学素子取り付け部のねじり変形によって光軸回りに倒れるのを抑制することができ、光源からの光束が規定の光路に対して主走査方向に傾くのを抑制することができる。
【００６９】
（１０）
また、上記（１）乃至（９）に記載のいずれかの態様において、各光源からから出射された光束が偏向手段の同一の位置に入射するよう各光源が前記光源取り付け部に取り付けられた。これにより、偏向手段の副走査方向の長さを短くすることができ、装置の小型化を図ることができる。また、従来のように、副走査方向並んで配置された光源ごとにポリゴンミラーを設ける必要がなくなり、部品点数を減らして、装置を安価にすることができる。
【００７０】
（１１）
また、潜像を担持する複数の感光体などの潜像担持体と、光走査によって各潜像担持体の表面に潜像を形成する光走査手段と、各潜像担持体に対応して設けられ担持された潜像を現像する複数の現像手段とを備える画像形成装置において、光走査手段として、上記（１）乃至（１０）に記載のいずれかの態様の光走査装置を用いた。これにより、良好な潜像を潜像担持体に書込むことができ、良好な画像を得ることができる。
【００７１】
（１２）
第１光源と、第１光源に対して副走査方向にずれて配置される第２光源と、各光源に対応して設けられ、光源から射出される光束を略平行光に偏向する一対のコリメートレンズなどの第１光学素子と、各光源に対応して設けられ、第１光学素子を通過した光束を副走査方向に集光する一対のシリンドリカルレンズなどの第２光学素子とを、各第２光学素子を通過した光束を偏向走査する偏向手段が保持された書込装置などの光走査装置の光学ハウジングに組み付ける光学素子組付け方法において、第１光源と第２光源とが取り付けられる光源取り付け部と、副走査方向に対して垂直な板状の形状であって、光学ハウジングに締結するための締結部材が挿入される複数の挿入穴を有し、一対の第１光学素子が取り付けられる第１光学素子取り付け部と、光学ハウジングの開放面に対して垂直な板状の形状であって、第２光学素子が取り付けられる第２光学素子取り付け部とを備えた光学素子保持部材に、第１光源、第２光源および一対の第１光学素子を光学素子保持部材に取り付ける工程と、第１光学素子取り付け部に設けられた締結部材が挿入される複数の挿入穴周辺部と光学ハウジングとの間に所定の隙間が形成されるよう光学素子保持部材を光学ハウジングに位置決めする工程と、複数の挿入穴にそれぞれ締結部材を挿入して、保持部材を、締結部材により光学ハウジングに締結する工程と、各光源から出射された光束が偏向手段の規定の位置に照射されるように、一対の第２光学素子の光学素子保持部材に対する取り付け姿勢を調整する工程と、光学素子保持部材に対する取り付け姿勢を維持した状態で、各第２光学素子を光学素子保持部材の第２光学素子取り付け部に取り付ける工程とを有している。これにより、光源から出射した光束が、所定の位置に照射させることができる。
【符号の説明】
【００７２】
５ａ：第１書込装置
５ｂ：第２書込装置
１０：プリンタ
４１：感光体
４３：現像部
５１：コリメートレンズ
５２：光源
５３：ポリゴンスキャナ
５４：走査レンズ
５５，５６：反射ミラー
５９：シリンドカルレンズ
１００：ＬＤユニット
１０１：光源取り付け部
１０２：第１光学素子取り付け部
１０２ａ：ネジ挿入穴周辺部
１０３：第２光学素子取り付け部
１０４：保持部材
１０５：座面当接突起部
１０６：ネジ挿入穴
１０７：スリット部
１０８ａ：第１突当部
１０８ｂ：第２突当部
１０８ｃ：第３突当部
１１０：ネジ
５００：光学ハウジング
５００ａ：第１平面
５００ｂ：第２平面
５０３：変形規制部
５０４：ネジ穴
【先行技術文献】
【特許文献】
【００７３】
【特許文献１】特開２００７−３０４１６６号公報
【図１】
0005721002.tif 000002
【図２】
0005721002.tif 000003
【図３】
0005721002.tif 000004
【図４】
0005721002.tif 000005
【図５】
0005721002.tif 000006
【図６】
0005721002.tif 000007
【図７】
0005721002.tif 000008
【図８】
0005721002.tif 000009
【図９】
0005721002.tif 000010